【手続補正書】
【提出日】令和1年6月26日(2019.6.26)
【手続補正１】
【補正対象書類名】特許請求の範囲
【補正対象項目名】全文
【補正方法】変更
【補正の内容】
【特許請求の範囲】
【請求項１】
光学的な生理学的測定システムであって、
ある波長の光を放射するエミッタと、
前記光を受光し、拡散させ、拡散光を放射するディフューザであって、前記放射される拡散光は患者の組織測定部位に向けられる、ディフューザと、
前記放射された光を、前記患者の組織による減衰後に検出するように構成された検出器であって、前記検出された光に応じて信号を送信するようにさらに構成された検出器と、を備える、光学的な生理学的測定システム。
【請求項２】
前記拡散光を、前記患者の組織による減衰後に受光し、前記受光した拡散光を集束させ、前記集束させた光を前記検出器の方向に放射する集束器をさらに備える、請求項1に記載の光学的な生理学的測定システム。
【請求項３】
前記検出された光に応じた、前記送信された信号を受信し、生理学的パラメータを決定するように構成されたプロセッサをさらに備える、請求項1または2に記載の光学的な生理学的測定システム。
【請求項４】
前記生理学的パラメータは動脈血酸素飽和度である、請求項3に記載の光学的な生理学的測定システム。
【請求項５】
前記ディフューザは、ガラスディフューザ、すりガラスディフューザ、ガラス玉ディフューザ、乳白ガラスディフューザ、および工学的に設計されたディフューザのうちの少なくとも1つを含む、請求項1から4のいずれか一項に記載の光学的な生理学的測定システム。
【請求項６】
前記ディフューザは、前記拡散光を略一定の強度プロファイルで放射する、請求項1から5のいずれか一項に記載の光学的な生理学的測定システム。
【請求項７】
前記ディフューザは、前記放射された拡散光が前記組織測定部位の表面へ分散される表面領域形状を画定する、請求項1から6のいずれか一項に記載の光学的な生理学的測定システム。
【請求項８】
前記組織測定部位に面する光吸収面と、開口部とを有する検出器フィルタをさらに備え、前記開口部は寸法を有し、前記開口部の前記寸法は、前記放射された拡散光が前記組織測定部位の前記表面へ分散される前記画定された表面領域形状に実質的に類似している、請求項7に記載の光学的な生理学的測定システム。
【請求項９】
前記表面領域形状は長方形である、請求項7に記載の光学的な生理学的測定システム。
【請求項１０】
前記長方形の表面領域形状は、幅が約0.25cm〜3cmであり、長さが約1cm〜6cmである範囲内の寸法を有する、請求項9に記載の光学的な生理学的測定システム。
【請求項１１】
前記長方形の表面領域形状は、幅が約0.1cm〜2cmであり、長さが約0.5cm〜5cmである範囲内の寸法を有する、請求項9に記載の光学的な生理学的測定システム。
【請求項１２】
前記長方形の表面領域形状は、幅が約1センチメートルであり、長さが約1.5センチメートルの寸法を有する、請求項9に記載の光学的な生理学的測定システム。
【請求項１３】
前記表面領域形状は正方形である、請求項7に記載の光学的な生理学的測定システム。
【請求項１４】
前記正方形の表面領域形状は、約0.25cm2から10cm2の範囲内の大きさを有する、請求項13に記載の光学的な生理学的測定システム。
【請求項１５】
前記組織測定部位に面する光吸収面と、開口部とを備える検出器フィルタをさらに備え、前記開口部は寸法を有し、前記開口部の前記寸法は、前記長方形の形状の寸法に実質的に類似している、請求項9に記載の光学的な生理学的測定システム。
【請求項１６】
前記集束器は、ガラス、すりガラス、ガラス玉、乳白ガラス、および複合放物集束器のうちの少なくとも1つを含む、請求項1から15のいずれか一項に記載の光学的な生理学的測定システム。
【請求項１７】
前記組織測定部位に面する光吸収面と、開口部とを備える検出器フィルタをさらに備え、前記開口部は、前記拡散光が、前記組織測定部位によって減衰した後、または、前記組織測定部位から反射した後に、前記集束器によって受光されることを可能にするように構成される、請求項1から16のいずれか一項に記載の光学的な生理学的測定システム。
【請求項１８】
患者の血液中の成分または被検物質を判定するための方法であって、
ある波長の光をエミッタから放射するステップと、
ディフューザを用いて、前記放射された光を拡散させ、拡散光を、前記ディフューザから組織測定部位へ放射するステップであって、前記ディフューザは、前記エミッタが組織測定部位に光を直接放射することによって照明される場合よりも大きい、前記組織測定部位の領域にわたって前記光を拡散させる、ステップと、
前記放射された集束された光を、検出器を用いて検出するステップと、
を含む方法。
【請求項１９】
前記拡散光が前記組織測定部位によって減衰した後、または、前記組織測定部位から反射した後に、前記放射された拡散光を集束器によって受光し、受光した光を、前記集束器によって集束させ、前記集束させた光を、前記集束器から検出器へ放射するステップをさらに含む、請求項18に記載の方法。
【請求項２０】
前記検出された光に応じて、前記検出器から信号を送信するステップと、
前記検出された光に応じた、前記送信された信号を、プロセッサによって受信するステップと、
生理学的パラメータを判定するために、前記検出された光に応じた、前記受信された信号を、前記プロセッサによって処理するステップと、
をさらに含む、請求項18または19に記載の方法。
【請求項２１】
前記放射された拡散光の散乱部分を、光吸収検出器フィルタを用いてフィルタリングするステップをさらに含む、請求項18から20のいずれか一項に記載の方法。
【請求項２２】
ディフューザを用いて、前記放射された光を拡散させ、前記拡散光を前記ディフューザから組織測定部位へ放射するステップは、ガラスディフューザ、ガラス玉ディフューザ、乳白ガラスディフューザ、および工学的に設計されたディフューザのうちの少なくとも1つによって実行される、請求項18から21のいずれか一項に記載の方法。
【請求項２３】
ディフューザを用いて、前記放射された光を拡散させ、前記拡散光を前記ディフューザから組織測定部位へ放射するステップはさらに、前記放射された光を、略一定の強度プロファイルで拡散させるステップを含む、請求項18から22のいずれか一項に記載の方法。
【請求項２４】
ディフューザを用いて、前記放射された光を拡散させ、前記拡散光を前記ディフューザから組織測定部位へ放射するステップはさらに、前記放射された拡散光が前記組織測定部位の表面へ分散される表面領域形状を画定するように、前記放射された光を拡散させるステップを含む、請求項18から23のいずれか一項に記載の方法。
【請求項２５】
受光した光を集束器によって集束させ、前記集束させた光を前記集束器から検出器へ放射するステップは、ガラス集束器、ガラス玉集束器、乳白ガラス集束器、および複合放物集束器のうちの少なくとも1つによって実行される、請求項18から24のいずれか一項に記載の方法。
【請求項２６】
パルスオキシメトリセンサであって、
ある波長で光を放射するように構成されたエミッタと、
前記放射された光を受光し、前記受光した光を拡散させ、拡散光を放射するように構成されたディフューザであって、前記放射される拡散光は組織測定部位に向けられる、ディフューザと
前記放射された拡散光を検出するように構成された検出器であって、前記拡散光は前記組織測定部位によって減衰しており、前記検出器はさらに、前記検出された光に応じて信号を出力するように構成される、検出器と、
を備える、パルスオキシメトリセンサ。
【請求項２７】
前記放射された光が前記組織測定部位によって減衰した後、前記放射された光を集束させ、前記集束させた光を前記検出器へ向ける集束器をさらに備える、請求項26に記載のパルスオキシメトリセンサ。
【請求項２８】
前記検出器はさらに、前記検出された光に応じた前記信号を、前記検出された光に応じた前記信号を受信して生理学的パラメータを決定するように構成されたプロセッサへ出力するように構成される、請求項26または27に記載のパルスオキシメトリセンサ。
【請求項２９】
前記ディフューザはさらに、前記放射された拡散光が前記組織測定部位の表面へ分散される表面領域形状を画定するように構成される、請求項26から28のいずれか一項に記載のパルスオキシメトリセンサ。
【請求項３０】
前記検出器はさらに、前記放射された拡散光が前記組織測定部位の前記表面へ分散される前記画定された表面領域形状に対応する検出領域を有するように構成される、請求項29に記載のパルスオキシメトリセンサ。
【請求項３１】
前記検出器はさらに、前記検出領域をカバーするように構成された検出器のアレイを備える、請求項30に記載のパルスオキシメトリセンサ。
【請求項３２】
パルスオキシメトリセンサであって、
ある波長で光を放射するように構成されたエミッタと、
前記放射された光が組織測定部位によって減衰した後、前記放射された光を集束させる集束器と、
前記放射された光を検出するように構成された検出器であって、前記放射された光は、前記組織測定部位によって減衰したか、または前記組織測定部位から反射したものであり、前記検出器はさらに、前記検出された光に応じて信号を出力するように構成される、検出器と、
を備えるパルスオキシメトリセンサ。
【請求項３３】
前記検出器はさらに、前記検出された光に応じた出力信号を、前記検出された光に応じた前記信号を受信して生理学的パラメータを決定するように構成されたプロセッサへ送信するように構成される、請求項32に記載のパルスオキシメトリセンサ。
【請求項３４】
前記集束器はさらに、前記放射された拡散光が前記組織測定部位の表面から受光される表面領域形状を画定するように構成される、請求項32または33に記載のパルスオキシメトリセンサ。
【請求項３５】
前記集束器はさらに、前記放射された拡散光が前記組織測定部位の前記表面へ分散される前記画定された表面領域形状に対応する検出領域を有するように構成される、請求項34に記載のパルスオキシメトリセンサ。
【請求項３６】
前記検出器はさらに、前記検出領域をカバーするように構成された検出器のアレイを備える、請求項35に記載のパルスオキシメトリセンサ。
【請求項３７】
組織測定部位で患者に配置されるように構成された、光学的な生理学的測定デバイスであって、
光を放射する１つ又は複数のエミッタと、
前記組織測定部位において前記患者の組織による減衰及び前記患者の組織からの反射後に、前記放射された光を検出するように構成された１つ又は複数の検出器であって、前記検出された光に応じて信号を送信するようにさらに構成された１つ又は複数の検出器と、
前記組織測定部位において放射された光と前記１つ又は複数の検出器との間に位置した円環リングを備える遮光部であって、前記１つ又は複数のエミッタから放射された入射光の量を前記１つ又は複数の検出器によって検出された量から減少させる、遮光部と、
を備える、光学的な生理学的測定デバイス。
【請求項３８】
前記光を受光し、拡散させ、拡散光を放射するディフューザであって、前記放射される拡散光は前記組織測定部位に向けられる、ディフューザをさらに備える、請求項３７に記載の光学的な生理学的測定デバイス。
【請求項３９】
前記ディフューザは、ガラスディフューザ、すりガラスディフューザ、ガラス玉ディフューザ、乳白ガラスディフューザ、および工学的に設計されたディフューザのうちの少なくとも1つを含む、請求項３８に記載の光学的な生理学的測定デバイス。
【請求項４０】
前記ディフューザは、前記拡散光を略一定の強度プロファイルで放射する、請求項３８に記載の光学的な生理学的測定デバイス。
【請求項４１】
前記ディフューザは、前記放射された拡散光が前記組織測定部位の表面へ分散される表面領域形状を画定する、請求項３８に記載の光学的な生理学的測定デバイス。
【請求項４２】
前記光を、前記患者の組織による減衰後に受光し、前記受光した光を集束させ、前記集束させた光を前記１つ又は複数の検出器の方向に放射する集束器をさらに備える、請求項３７に記載の光学的な生理学的測定デバイス。
【請求項４３】
前記集束器は、ガラス、すりガラス、ガラス玉、乳白ガラス、および複合放物集束器のうちの少なくとも1つを含む、請求項４２に記載の光学的な生理学的測定デバイス。
【請求項４４】
前記検出された光に応じて前記送信された信号を受信し、生理学的パラメータを決定するように構成されたプロセッサをさらに備える、請求項３７に記載の光学的な生理学的測定デバイス。
【請求項４５】
前記生理学的パラメータは動脈血酸素飽和度である、請求項４４に記載の光学的な生理学的測定デバイス。
【請求項４６】
前記１つ又は複数のエミッタは、前記光学的な生理学的測定デバイスが前記組織測定部位で前記患者に配置される場合に前記円環リングの外側に配置されており、
前記１つ又は複数の検出器は、前記光学的な生理学的測定デバイスが前記組織測定部位で前記患者に配置される場合に前記円環リングの内側に配置されている、請求項３７に記載の光学的な生理学的測定デバイス。
【請求項４７】
患者の血液中の成分または被検物質を判定するための方法であって、
１つ又は複数の波長の光を光学的センサの少なくとも１つのエミッタから放射するステップと、
組織測定部位において前記患者の組織による減衰及び前記患者の組織からの反射後に、１つ又は複数の検出器を用いて前記放射された光を検出するステップと、
前記組織測定部位において前記放射された光と前記１つ又は複数の検出器との間に位置した円環リングを提供するステップであって、前記円環リングは、前記１つ又は複数のエミッタから放射された入射光の量を前記１つ又は複数の検出器に到着する量から減少させる、ステップと、
を含む方法。
【請求項４８】
ディフューザを用いて、前記放射された光を拡散させ、拡散光を前記ディフューザから前記組織測定部位へ放射するステップであって、前記ディフューザは、前記エミッタが前記組織測定部位に光を直接放射することによって照明される場合よりも大きい、前記組織測定部位の領域にわたって前記光を拡散させる、ステップをさらに備える、請求項４７に記載の方法。
【請求項４９】
ディフューザを用いて、前記放射された光を拡散させ、前記拡散光を前記ディフューザから前記組織測定部位へ放射するステップは、ガラスディフューザ、ガラス玉ディフューザ、乳白ガラスディフューザ、および工学的に設計されたディフューザのうちの少なくとも1つによって実行される、請求項４８に記載の方法。
【請求項５０】
ディフューザを用いて、前記放射された光を拡散させ、前記拡散光を前記ディフューザから前記組織測定部位へ放射するステップはさらに、前記放射された光を、略一定の強度プロファイルで拡散させるステップを含む、請求項４８に記載の方法。
【請求項５１】
ディフューザを用いて、前記放射された光を拡散させ、前記拡散光を前記ディフューザから前記組織測定部位へ放射するステップはさらに、前記放射された拡散光が前記組織測定部位の表面へ分散される表面領域形状を画定するように、前記放射された光を拡散させるステップを含む、請求項４８に記載の方法。
【請求項５２】
前記拡散光が前記組織測定部位により減衰され、且つ前記組織測定部位により反射された後で、前記放射された拡散光を、集束器を用いて受光するステップと、
前記集束器によって前記受光した光を集束し、前記集束した光を前記集束器から前記１つ又は複数の検出器へ放射するステップと、
をさらに備える、請求項４８に記載の方法。
【請求項５３】
前記集束器によって前記受光した光を集束し、前記集束した光を前記集束器から前記１つ又は複数の検出器へ放射するステップは、ガラス集束器、ガラス玉集束器、乳白ガラス集束器、および複合放物集束器のうちの少なくとも1つによって実行される、請求項５２に記載の方法。
【請求項５４】
前記少なくとも１つのエミッタは、前記光学的センサが前記組織測定部位で前記患者に配置される場合に前記円環リングの外側に配置されており、
前記１つ又は複数の検出器は、前記光学的センサが前記組織測定部位で前記患者に配置される場合に前記円環リングの内側に配置されている、請求項４７に記載の方法。
【請求項５５】
前記１つ又は複数の検出器から、前記検出された光に応じて、信号を送信するステップと、
前記検出された光に応じて前記送信された信号を、プロセッサによって受信するステップと、
生理学的パラメータを判定するために、前記検出された光に応じて前記受信された信号を、前記プロセッサによって処理するステップと、
をさらに含む、請求項４７に記載の方法。
【請求項５６】
パルスオキシメトリセンサであって、
１つ又は複数の波長で光を放射するように構成された１つ又は複数の光源であって、前記パルスオキシメトリセンサが組織測定部位で患者に配置された場合に、前記組織測定部位の第１の側に反射測定構成で配置される、１つ又は複数の光源と、
前記組織測定部位で前記患者の組織による減衰後に、前記１つ又は複数の光源から放射された光を検出するように構成された複数の検出器であって、前記複数の検出器は前記組織測定部位で前記患者の前記組織から反射された前記放射された光を捕捉するようにアレイで配置されており、前記複数の検出器は、前記パルスオキシメトリセンサが前記患者に配置された場合に前記組織測定部位の前記第１の側に反射測定構成で配置され、前記検出された光に応じた信号を出力するように構成される、複数の検出器と、
前記組織測定部位における前記放射された光と前記複数の検出器との間に位置した円環リングを備える遮光部であって、前記１つ又は複数の光源から放射された入射光の量を前記複数の検出器に到着する量から減少させる、遮光部と、
を備える、パルスオキシメトリセンサ。
【請求項５７】
前記放射された光が前記組織測定部位によって減衰した後、前記放射された光を集束させ、前記集束させた光を前記複数の検出器へ向ける集束器をさらに備える、請求項５６に記載のパルスオキシメトリセンサ。
【請求項５８】
前記複数の検出器はさらに、前記検出された光に応じた前記信号を、前記検出された光に応じた前記信号を受信して生理学的パラメータを決定するように構成されたプロセッサへ出力するようにさらに構成される、請求項５６に記載のパルスオキシメトリセンサ。
【請求項５９】
前記放射された光を受光し、前記受光した光を拡散させ、拡散光を放射するように構成されたディフューザであって、前記放射される拡散光は前記組織測定部位に向けられる、ディフューザをさらに備える、請求項５６に記載のパルスオキシメトリセンサ。
【請求項６０】
前記ディフューザはさらに、前記放射された拡散光が前記組織測定部位の表面へ分散される表面領域形状を画定するように構成される、請求項５９に記載のパルスオキシメトリセンサ。
【請求項６１】
前記１つ又は複数の光源は、前記パルスオキシメトリセンサが前記組織測定部位で前記患者に配置される場合に前記円環リングの外側に配置されており、
前記複数の検出器は、前記パルスオキシメトリセンサが前記組織測定部位で前記患者に配置される場合に前記円環リングの内側に配置されている、請求項５６に記載のパルスオキシメトリセンサ。
【請求項６２】
前記複数の検出器は、照射された表面領域に対応する特定の構成を有するアレイで配置される、請求項５６に記載のパルスオキシメトリセンサ。
【請求項６３】
前記照射された表面領域は、円環形状を含む、請求項６２に記載のパルスオキシメトリセンサ。
【請求項６４】
パルスオキシメトリセンサであって、
１つ又は複数の波長で光を放射するように構成された１つ又は複数の光源であって、前記パルスオキシメトリセンサが組織測定部位で患者に配置された場合に、前記組織測定部位の第１の側に反射測定構成で配置される、１つ又は複数の光源と、
前記組織測定部位で前記患者の組織による減衰及び前記患者の組織からの反射後に、前記１つ又は複数の光源から放射された光を検出するように構成された複数の検出器であって、前記複数の検出器は、前記パルスオキシメトリセンサが前記患者に配置された場合に前記組織測定部位の前記第１の側に反射測定構成で配置され、前記検出された光に応じて信号を出力するように構成される、複数の検出器と、
前記組織測定部位において前記放射された光と前記複数の検出器との間に位置した円環リングを備える遮光部であって、前記複数の検出器に到着する前記組織測定部位に入らない、前記１つ又は複数の光源から放射された入射光の量を減少させる、遮光部と、
を備える、パルスオキシメトリセンサ。
【請求項６５】
前記複数の検出器はさらに、前記検出された光に応じた出力信号を、前記検出された光に応じた前記出力信号を受信して生理学的パラメータを決定するように構成されたプロセッサへ出力するようにさらに構成される、請求項６４に記載のパルスオキシメトリセンサ。
【請求項６６】
前記１つ又は複数の光源は、前記パルスオキシメトリセンサが前記組織測定部位で前記患者に配置される場合に前記円環リングの外側に配置されており、
前記複数の検出器は、前記パルスオキシメトリセンサが前記組織測定部位で前記患者に配置される場合に前記円環リングの内側に配置されている、請求項６４に記載のパルスオキシメトリセンサ。
【請求項６７】
前記複数の検出器は、前記組織測定部位に前記患者の組織によって反射された前記放射された光を捕捉するようにアレイで配置されている、請求項６４に記載のパルスオキシメトリセンサ。
【請求項６８】
前記複数の検出器は、照射された表面領域に対応する特定の構成を有するアレイで配置される、請求項６７に記載のパルスオキシメトリセンサ。
【請求項６９】
前記照射された表面領域は、円環形状を含む、請求項６８に記載のパルスオキシメトリセンサ。
【請求項７０】
組織測定部位で使用者に配置されるように構成された手首着用型生理学的監視デバイスであって、
前記組織測定部位に向けて光を放射するように構成された複数のエミッタであって、前記組織測定部位が前記使用者の手首に位置しており、前記複数のエミッタが１つ又は複数の波長を放射するように構成された１つ又は複数の発光ダイオードを含んでおり、前記１つ又は複数の波長が少なくとも赤外線の波長を備えている、複数のエミッタと、
前記組織測定部位で前記使用者の組織による減衰後に、前記複数のエミッタによって放射された光を検出するように構成された複数の検出器であって、前記検出された光に応じた少なくとも１つの信号を出力するようにさらに構成された複数の検出器と、
前記出力に応じた少なくとも１つの信号を受信して前記使用者の生理学的パラメータを決定するように構成されたプロセッサと、
前記手首着用型生理学的監視デバイスが前記使用者によって着用される場合に前記組織測定部位で前記複数のエミッタから放射された光と前記複数の検出器との間に周囲壁を形成する遮光部であって、前記周囲壁は、前記複数のエミッタから放射された光の少なくとも一部が前記組織による減衰なしに前記複数の検出器によって検出されることを防ぐ、遮光部と、
を備える、手首着用型生理学的監視デバイス。
【請求項７１】
前記決定した生理学的パラメータに関連した情報を前記使用者に提示するように構成されたディスプレイをさらに備える、請求項７０に記載された手首着用型生理学的監視デバイス。
【請求項７２】
前記ディスプレイは、タッチスクリーンディスプレイである、請求項７１に記載された手首着用型生理学的監視デバイス。
【請求項７３】
前記遮光部の前記周囲壁は、円形の壁である、請求項７０に記載された手首着用型生理学的監視デバイス。
【請求項７４】
前記手首着用型生理学的監視デバイスが前記組織測定部位で前記使用者によって着用される場合に、前記複数のエミッタは、前記組織測定部位の第１の側に反射測定構成で配置されており、
前記手首着用型生理学的監視デバイスが前記使用者によって着用された場合に、前記複数の検出器は、前記組織測定部位の前記第１の側に反射測定構成で配置されている、請求項７０に記載された手首着用型生理学的監視デバイス。
【請求項７５】
前記光を受光し、拡散させ、拡散光を放射するディフューザであって、前記放射される拡散光は前記組織測定部位に向けられる、ディフューザをさらに備える、請求項７０に記載された手首着用型生理学的監視デバイス。
【請求項７６】
前記複数のエミッタは、前記手首着用型生理学的監視デバイスが前記組織測定部位で前記使用者によって着用された場合に前記周囲壁の外側に配置されており、
前記複数の検出器は、前記手首着用型生理学的監視デバイスが前記組織測定部位で前記使用者によって着用された場合に前記周囲壁の内側に配置されている、請求項７０に記載の手首着用型生理学的監視デバイス。
【請求項７７】
前記生理学的パラメータは、動脈酸素飽和度、グルコース、及び脈拍数からなるグループから選択される、請求項７０に記載の手首着用型生理学的監視デバイス。
【請求項７８】
前記複数の検出器は、照射された表面領域に対応する特定の構成を有するアレイで配置される、請求項７０に記載の手首着用型生理学的監視デバイス。
【請求項７９】
前記照射された表面領域は、円形状を含む、請求項７８に記載の手首着用型生理学的監視デバイス。
【請求項８０】
使用者の血液において生理学パラメータを測定する方法であって、
生理学的監視デバイスの複数のエミッタから、使用者の手首に位置した組織測定部位に向けて１つ又は複数の波長の光を放射するステップであって、前記複数のエミッタが１つ又は複数の発光ダイオードを含んでおり、前記１つ又は複数の波長が少なくとも赤外線の波長を備えている、ステップと、
複数の検出器を用いて、前記組織測定部位で前記使用者の組織を通じた減衰後に前記複数のエミッタによって放射された光を検出するステップであって、前記複数の検出器が１つ又は複数のフォトダイオードを備えている、ステップと、
前記生理学的監視デバイスが前記使用者によって着用された場合に、前記組織測定部位で前記複数のエミッタから放射された光と前記複数の検出器との間に周囲壁を形成する遮光部を提供するステップであって、前記周囲壁は、前記複数のエミッタから放射された光の少なくとも一部が前記組織による減衰なしに前記複数の検出器によって検出されることを防ぐ、ステップと、
前記複数の検出器から、前記検出した光に応じて少なくとも１つの信号を出力するステップと、
プロセッサによって、前記検出された光に応じて出力された少なくとも１つの信号を受信するステップと、
前記プロセッサによって、生理学的パラメータを決定するように前記検出された光に応じて受信した少なくとも１つの信号を処理するステップと、
を備える、方法。
【請求項８１】
前記生理学的監視デバイスが前記組織測定部位で前記使用者によって着用された場合に、前記複数のエミッタは前記周囲壁の外側に配置されており、
前記生理学的監視デバイスが前記組織測定部位で前記使用者によって着用された場合に、前記複数の検出器は前記周囲壁の内側に配置されている、請求項８０に記載の方法。
【請求項８２】
前記生理学的監視デバイスのディスプレイを用いて、前記決定された生理学的パラメータに関連した情報を前記使用者に提示するステップをさらに備える、請求項８０に記載の方法。
【請求項８３】
前記ディスプレイは、タッチスクリーンディスプレイである、請求項８２に記載の方法。
【請求項８４】
前記遮光部の前記周囲壁は、円形の壁である、請求項８０に記載の方法。
【請求項８５】
前記生理学的監視デバイスが前記組織測定部位で前記使用者によって着用される場合に、前記複数のエミッタは、前記組織測定部位の第１の側に反射測定構成で配置されており、
前記生理学的監視デバイスが前記使用者によって着用される場合に、前記複数の検出器は前記組織測定部位の前記第１の側に反射測定構成で配置される、請求項８０に記載の方法。
【請求項８６】
ディフューザを用いて、前記放射された光を拡散し、拡散光を前記ディフューザから前記組織測定部位へ放射するステップをさらに含む、請求項８０に記載の方法。
【請求項８７】
前記生理学パラメータは、脈拍数、かん流指数、酸素含有量、及び総ヘモグロビンの少なくとも１つの示す、請求項８０に記載の方法。
【請求項８８】
前記複数の検出器は、照射された表面領域に対応する特定の構成を有するアレイで配置される、請求項８０に記載の方法。
【請求項８９】
前記照射された表面領域は、円形状を含む、請求項８０に記載の方法。
【請求項９０】
手首着用型生理学的監視センサであって、
使用者上の組織測定部位に向けて光を放射するように構成された複数の光源であって、前記組織測定部位が前記使用者の手首に位置しており、前記複数の光源が１つ又は複数の波長を放射するように構成された１つ又は複数の発光ダイオードを含んでおり、前記１つ又は複数の波長が少なくとも赤外線の波長を備えている、複数の光源と、
前記組織測定部位で前記使用者の組織による減衰後に、前記複数のエミッタによって放射された光を検出するように構成された複数の検出器であって、前記複数の検出器は１つ又は複数のフォトダイオードを含み、前記複数の検出器が前記検出した光に応じた少なくとも１つの信号を出力するように構成された、複数の検出器と、
前記検出した光に応じた出力された少なくとも１つの信号を受信して前記使用者の健康の状態又は傾向を示す生理学的パラメータを決定するように構成されたプロセッサと、
前記手首着用型生理学的監視センサが前記使用者によって着用された場合に、前記組織測定部位で前記複数のエミッタから放射された光と前記複数の検出器との間に周囲壁を形成する遮光部であって、前記遮光部は前記周囲壁によって画定された光分離チャンバを形成し、前記周囲壁は、前記複数のエミッタによって放射された光の少なくとも一部が前記組織による減衰なしに前記複数の検出器によって検出されることを防ぐ、遮光部と、
を備える、手首着用型生理学的監視センサ。
【請求項９１】
前記手首着用型生理学的監視センサが前記組織測定部位で前記使用者によって着用された場合に、前記複数の光源は前記周囲壁の外側に位置しており、
前記手首着用型生理学的監視センサが前記組織測定部位で前記使用者によって着用された場合に、前記複数の検出器は前記周囲壁の内側に位置する、請求項９０に記載の手首着用型生理学的監視センサ。
【請求項９２】
前記複数の検出器は、前記組織測定部位に前記使用者の組織から反射された前記放射された光を捕捉するようにアレイで配置されている、請求項９０に記載の手首着用型生理学的監視センサ。
【請求項９３】
前記複数の検出器は、照射された表面領域に対応する特定の構成を有するアレイで配置される、請求項９２に記載の手首着用型生理学的監視センサ。
【請求項９４】
前記光を受光し、拡散させ、拡散光を放射するディフューザであって、前記放射される拡散光は前記組織測定部位に向けられる、ディフューザをさらに備える、請求項９０に記載の手首着用型生理学的監視センサ。
【請求項９５】
前記決定された生理学的パラメータに関連した情報を前記使用者に提示するディスプレイをさらに含む、請求項９０に記載の手首着用型生理学的監視センサ。
【請求項９６】
前記ディスプレイは、タッチスクリーンディスプレイである、請求項９５に記載の手首着用型生理学的監視センサ。
【請求項９７】
前記遮光部の前記周囲壁は、円形の壁である、請求項９０に記載の手首着用型生理学的監視センサ。
【請求項９８】
前記複数のエミッタは、前記手首着用型生理学的監視センサが前記組織測定部位で前記使用者によって着用された場合に前記組織測定部位の第１の側に反射測定構成で配置されており、
前記複数の検出器は、前記手首着用型生理学的監視センサが前記使用者によって着用された場合に前記組織測定部位の前記第１の側に反射測定構成で配置されている、請求項９０に記載の手首着用型生理学的監視センサ。
【請求項９９】
前記生理学的パラメータは、動脈酸素飽和度、グルコース、及び脈拍数からなるグループから選択される、請求項９０に記載の手首着用型生理学的監視センサ。